(57)【特許請求の範囲】
【請求項１】
配列された複数の遊技機を有する遊技島設備に配置される灰皿清掃装置において、
前記各遊技機に対応して配置され、停止状態にて煙草を煙草載置面上に保持すると共に作動状態にて該煙草の吸殻及び灰を前記煙草載置面から落下させ排出する複数の灰皿装置と、
該灰皿装置から落下した吸殻及び灰を搬送して消火処理する搬送処理装置と、を有し、
前記各灰皿装置は、吸殻及び灰を前記搬送処理装置に落下させる開口部と、該開口部を囲繞するように配置されると共に前記煙草載置面に付着した吸殻及び灰を前記開口部に落下させるように回動する回動部と、を備えてなり、
前記各灰皿装置の前記回動部を駆動制御する灰皿装置制御手段と、前記各灰皿装置に対応して配置された複数の回動操作スイッチと、を有し、
前記灰皿装置制御手段は、操作された前記回動操作スイッチに対応する前記灰皿装置の前記回動部を所定角度回動させてなる、
ことを特徴とする灰皿清掃装置。
【請求項２】
配列された複数の遊技機を有する遊技島設備に配置される灰皿清掃装置において、
前記各遊技機に対応して配置され、停止状態にて煙草を煙草載置面上に保持すると共に作動状態にて該煙草の吸殻及び灰を前記煙草載置面から落下させ排出する複数の灰皿装置と、
該灰皿装置から落下した吸殻及び灰を搬送して消火処理する搬送処理装置と、を有し、
前記各灰皿装置は、吸殻及び灰を前記搬送処理装置に落下させる開口部と、該開口部を囲繞するように配置されると共に前記煙草載置面に付着した吸殻及び灰を前記開口部に落下させるように回動する回動部と、を備えてなり、
前記各灰皿装置の前記回動部を駆動制御する灰皿装置制御手段と、一斉駆動操作スイッチと、を有し、
前記灰皿装置制御手段は、前記一斉駆動操作スイッチの操作に応答して、前記複数の灰皿装置の前記回動部を一斉に所定角度回動させてなる、
ことを特徴とする灰皿清掃装置。
【請求項３】
前記回動部は、前記開口部を多角形状に区画するように配置された複数の多角柱体であり、
前記複数の多角柱体は、前記灰皿装置の前記停止状態にて平面状の一側面を上方に向けて前記煙草載置面としてなる、
請求項１又は２記載の灰皿清掃装置。
【請求項４】
前記灰皿装置と前記搬送処理装置との間に介在される拭取装置を備え、
前記拭取装置は、前記各開口部にそれぞれ対向した状態で該開口部から落下する吸殻及び灰を前記搬送処理装置側に通過させる複数の通過穴と、該通過穴が次なる前記開口部に向けて移動する際に前記回動部の下面を拭き取る拭取部と、を有する無端状の清掃ベルトを備えてなる、
請求項１ないし３のいずれか１項記載の灰皿清掃装置。
【請求項５】
前記清掃ベルトが不燃性材料からなる、
請求項４記載の灰皿清掃装置。
【請求項６】
前記清掃ベルトは、所定の間隔をあけて配置された一対のローラ間に張設されてなり、
前記拭取装置は、前記清掃ベルトに摺接して該清掃ベルトに付着した吸殻及び灰を擦り落とす清掃ベルト摺接ローラを備えてなる、
請求項４又は５記載の灰皿清掃装置。
【請求項７】
前記清掃ベルト摺接ローラは、前記清掃ベルトの移動に逆らう方向に回転してなる、
請求項６記載の灰皿清掃装置。
【発明の詳細な説明】
【技術分野】
【０００１】
本発明は、煙草用の灰皿を清掃する灰皿清掃装置に関し、詳しくは、パチンコ機やスロットマシン等の遊技機の近傍に配置される灰皿を清掃する清掃構造に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（例えば、特許文献１参照）。
【０００３】
このようなパチンコ機では、一般入賞口に入球した際にはそれに対応した個数の遊技球が払い出され、また始動チャッカーに入球した際には、これに基づいて大当たりの当落や演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、大当たりの発生時には、アタッカーと呼ばれる大入賞口が開放し、入球に対応して多量の遊技球が払い出される遊技者に有利な遊技状態となる。
【０００４】
また、遊技機、例えばスロットマシンとして、複数種の絵柄からなるシンボルマークを円周方向に多数（通常は２１個）備えた横３列の回胴リールを、スタートレバー操作に基づいて回転させた後、３個のストップボタンを夫々押圧操作することで、各ボタンに対応する回胴リールを順次停止させて、各回胴リールに備えたシンボルマークのうちの所定の絵柄同士が一致したときに当たりとなり、ボーナス取得として多数の遊技メダルがメダル受け皿に放出される構造のものが知られている（例えば、特許文献２参照）。当該スロットマシンでは、役抽選で当選した対応役に応じて回胴リールが停止し得るように制御し、シンボルマークを揃える際等の視覚的な演出を行っている。
【０００５】
上述したようなパチンコ機やスロットマシンは、それぞれ遊技店（遊技場）内の遊技島（遊技島設備）と呼ばれる区域において、列状に順次隣接する形で多数設置されている。このように、多数の遊技機が整列した遊技島設備において、遊技者は、好みの遊技機に対面して着座し、パチンコ機或いはスロットマシン固有の遊技手法に沿って遊技を進める。
【０００６】
そして、上述したパチンコ機やスロットマシンは、通常、遊技機本体の下部一側に灰皿が装備されているが、近年では、遊技機本体に装備された灰皿を使用しないようにして、各遊技機下部近傍に灰皿を別途配置し、この灰皿を遊技者に使用させるようにした設備が存在する。このような設備に設けられるものとして、パチンコ遊技機に於ける吸殻自動回収装置が知られている（例えば、特許文献３参照）。
【０００７】
上記吸殻自動回収装置では、パチンコ遊技機下端のカウンタに穿設した孔に固着した灰皿の開口部から、取付台内に水平状態に取り付けたパイプに防遮カバーを介して吸殻を流降できるようにし、該パイプ中の底部に溜った吸殻のゴミを水タンクからポンプを使用して循環式にした水で確実に消火しつつ流し、ベルト伝動機構にてパイプ中の螺旋翼を回転させることで、吸殻を粉砕しながらゴミ箱に流降できるようになっている。
【特許文献１】特開２００３−２３６２１０号公報
【特許文献２】特開２００３−２７５３７２号公報
【特許文献３】特開２０００−１６７２２５号公報
【発明の開示】
【発明が解決しようとする課題】
【０００８】
ところで、上記特許文献３に示されるような吸殻自動回収装置では、開口部から落下した吸殻を粉砕しながらゴミ箱に収集するため回転する螺旋翼が設けられており、灰皿の開口部から入った吸殻を自動的に回収することで、個々に清掃作業員が回収する等の煩雑な作業を解消することは可能である。
【０００９】
しかしながら、遊技者等が煙草を吸う際に灰皿開口部の周囲に飛散した灰や開口部近傍に残存した吸殻等を清掃する機能はなく、従って、これら灰皿周囲に付着した吸殻や灰の回収及び清掃は、人手を介しての作業を余儀なくされる。つまり、遊技機に向かって着座した遊技者が、灰皿周囲の汚さに不快感を抱いたとき、ティッシュペーパ等で拭いて掃除したり、或いは、拭く等せずにそのまま別の遊技機に移動したりすることになる。また、遊技場の清掃作業員が灰皿周囲の汚さに気が付いた場合であっても、店内が混雑している際には、隣接する遊技機にそれぞれ対座している遊技者間にいちいち割り込みながら清掃作業しなければならず、このことが清掃作業員のみならず遊技者に対しても大きな負担となっていた。
【００１０】
そこで本発明は、人手を介した作業を可及的に不要にすると共に、灰皿開口部の周囲に飛散した灰や開口部近傍に残存した吸殻等を簡便に清掃し得るように構成し、もって上記課題を解決した灰皿清掃装置を提供することを目的とするものである。
【課題を解決するための手段】
【００１１】
請求項１に係る本発明は（例えば図１ないし図６参照）、配列された複数の遊技機（２）を有する遊技島設備（１）に配置される灰皿清掃装置（４）において、
前記各遊技機（２）に対応して配置され、停止状態にて煙草（Ｃ）を煙草載置面（Ｆ）上に保持すると共に作動状態にて該煙草（Ｃ）の吸殻及び灰（ｃ）を前記煙草載置面（Ｆ）から落下させ排出する複数の灰皿装置（２６）と、
該灰皿装置（２６）から落下した吸殻及び灰（ｃ）を搬送して消火処理する搬送処理装置（１４）と、を有し、
前記各灰皿装置（２６）は、吸殻及び灰（ｃ）を前記搬送処理装置（１４）に落下させる開口部（３１）と、該開口部（３１）を囲繞するように配置されると共に前記煙草載置面（Ｆ）に付着した吸殻及び灰（ｃ）を前記開口部（３１）に落下させるように回動する回動部（３０ａ，３０ｂ，３０ｃ，３０ｄ）と、を備えてなり、
前記各灰皿装置（２６）の前記回動部（３０ａ〜３０ｄ）を駆動制御する灰皿装置制御手段（６４）と、
前記各灰皿装置（２６）に対応して配置された複数の回動操作スイッチ（２７）と、を有し、
前記灰皿装置制御手段（６４）は、操作された前記回動操作スイッチ（２７）に対応する前記灰皿装置（２６）の前記回動部（３０ａ〜３０ｄ）を所定角度（例えば６０゜）回動させてなる、
ことを特徴とする灰皿清掃装置（４）にある。
【００１２】
請求項２に係る本発明は（例えば図１ないし図６参照）、配列された複数の遊技機（２）を有する遊技島設備（１）に配置される灰皿清掃装置（４）において、
前記各遊技機（２）に対応して配置され、停止状態にて煙草（Ｃ）を煙草載置面（Ｆ）上に保持すると共に作動状態にて該煙草（Ｃ）の吸殻及び灰（ｃ）を前記煙草載置面（Ｆ）から落下させ排出する複数の灰皿装置（２６）と、
該灰皿装置（２６）から落下した吸殻及び灰（ｃ）を搬送して消火処理する搬送処理装置（１４）と、を有し、
前記各灰皿装置（２６）は、吸殻及び灰（ｃ）を前記搬送処理装置（１４）に落下させる開口部（３１）と、該開口部（３１）を囲繞するように配置されると共に前記煙草載置面（Ｆ）に付着した吸殻及び灰（ｃ）を前記開口部（３１）に落下させるように回動する回動部（３０ａ，３０ｂ，３０ｃ，３０ｄ）と、を備えてなり、
前記各灰皿装置（２６）の前記回動部（３０ａ〜３０ｄ）を駆動制御する灰皿装置制御手段（６４）と、一斉駆動操作スイッチ（７３）と、を有し、
前記灰皿装置制御手段（６４）は、前記一斉駆動操作スイッチ（７３）の操作に応答して、前記複数の灰皿装置（２６）の前記回動部（３０ａ〜３０ｄ）を一斉に所定角度（例えば６０゜）回動させてなる、
ことを特徴とする灰皿清掃装置（４）にある。
【００１３】
請求項３に係る本発明は（例えば図３参照）、前記回動部（３０ａ〜３０ｄ）が、前記開口部（３１）を多角形状に区画するように配置された複数の多角柱体（例えば正六角柱、正四角柱）であり、
前記複数の多角柱体は、前記灰皿装置（２６）の前記停止状態にて平面状の一側面を上方に向けて前記煙草載置面（Ｆ）としてなる、
請求項１又は２記載の灰皿清掃装置（４）にある。
【００１４】
なお、本発明における上記「多角柱体」は、両端の底部が閉塞した多角柱状のものと共に、両端の底部が開放した多角筒状のものをも含む概念である。
【００１５】
請求項４に係る本発明は（例えば図１ないし図３参照）、前記灰皿装置（２６）と前記搬送処理装置（１４）との間に介在される拭取装置（１６）を備え、
前記拭取装置（１６）は、前記各開口部（３１）にそれぞれ対向した状態で該開口部（３１）から落下する吸殻及び灰（ｃ）を前記搬送処理装置（１４）側に通過させる複数の通過穴（２９）と、該通過穴（２９）が次なる前記開口部（３１）に向けて移動する際に前記回動部（３０ａ〜３０ｄ）の下面（Ｂ）を拭き取る拭取部（１９ａ）と、を有する無端状の清掃ベルト（１９）を備えてなる、
請求項１ないし３のいずれか１項記載の灰皿清掃装置（４）にある。
【００１６】
請求項５に係る本発明は（例えば図３参照）、前記清掃ベルト（１９）が不燃性材料からなる、
請求項４記載の灰皿清掃装置（４）にある。
【００１７】
請求項６に係る本発明は（例えば図１参照）、前記清掃ベルト（１９）が、所定の間隔をあけて配置された一対のローラ（２０，１７）間に張設されてなり、
前記拭取装置（１６）は、前記清掃ベルト（１９）に摺接して該清掃ベルト（１９）に付着した吸殻及び灰（ｃ）を擦り落とす清掃ベルト摺接ローラ（２１）を備えてなる、
請求項４又は５記載の灰皿清掃装置（４）にある。
【００１８】
請求項７に係る本発明は（例えば図１参照）、前記清掃ベルト摺接ローラ（２１）が、前記清掃ベルト（１９）の移動に逆らう方向に回転してなる、
請求項６記載の灰皿清掃装置（４）にある。
【００１９】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００２０】
請求項１に係る本発明によると、複数の灰皿装置が、吸殻及び灰を搬送処理装置に落下させる開口部と、煙草載置面に付着した吸殻及び灰を開口部に落下させるように回動する回動部とを有するので、灰皿装置の開口部周囲が吸殻及び灰で汚れている場合、必要に応じて回動部を回動させることにより、開口部周囲に飛散した灰や開口部近傍に残存した吸殻等を開口部に落下させて消火処理することで、簡便に清掃することができる。このため、遊技者自身がティッシュペーパ等で拭いて掃除し、或いは、遊技店（ホール）内の混雑時等に清掃作業員（ホールスタッフ）が遊技者間に割り込みながら清掃作業するような人手を介する煩雑な作業を可及的に不要にでき、灰皿周囲が汚れていることに起因してそのまま別の遊技機に移動するような不都合を解消することができる。
【００２１】
また、本発明によると、各灰皿装置に対応して配置された複数の回動操作スイッチを備え、灰皿装置制御手段が、操作された回動操作スイッチに対応する灰皿装置の回動部を所定角度回動させるので、遊技者が開口部周囲を清掃したいと思ったとき、対座した遊技機に対応する回動操作スイッチを操作するだけで回動部を所定角度回動させ、灰皿装置を極めて簡便に清掃することができる。
【００２２】
請求項２に係る本発明によると、複数の灰皿装置が、吸殻及び灰を搬送処理装置に落下させる開口部と、煙草載置面に付着した吸殻及び灰を開口部に落下させるように回動する回動部とを有するので、灰皿装置の開口部周囲が吸殻及び灰で汚れている場合、必要に応じて回動部を回動させることにより、開口部周囲に飛散した灰や開口部近傍に残存した吸殻等を開口部に落下させて消火処理することで、簡便に清掃することができる。このため、遊技者自身がティッシュペーパ等で拭いて掃除し、或いは、遊技店（ホール）内の混雑時等に清掃作業員（ホールスタッフ）が遊技者間に割り込みながら清掃作業するような人手を介する煩雑な作業を可及的に不要にでき、灰皿周囲が汚れていることに起因してそのまま別の遊技機に移動するような不都合を解消することができる。
【００２３】
また、本発明によると、各灰皿装置の回動部を駆動制御する灰皿装置制御手段と、一斉駆動操作スイッチとを有し、灰皿装置制御手段が、一斉駆動操作スイッチの操作に応答して複数の灰皿装置の回動部を一斉に所定角度回動させるので、遊技店の閉店後等に清掃作業員が開口部周囲を清掃する場合、一斉駆動操作スイッチを操作するだけで、各遊技機に対応する灰皿装置の回動部を一斉に所定角度回動させ、多数の灰皿装置を、島設備単位で一括して極めて簡便に清掃することができる。これにより、清掃作業員にとって煩雑な作業である灰皿周りの清掃が極めて容易になり、その分別の作業に集中することが可能になる。
【００２４】
請求項３に係る本発明によると、回動部が、開口部を多角形状に区画するように配置された複数の多角柱体であり、複数の多角柱体が、灰皿装置の停止状態にて平面状の一側面を上方に向けて煙草載置面とするので、複数の多角柱体を開口部周囲に配置し、それら多角柱体を所定角度回動させるだけで、吸殻及び灰を開口部内に落下させて排出する機能と、回動時に最終的に上方に向く面を煙草載置面とする機能とを併せ持った構造を容易に実現することができる。
【００２５】
請求項４に係る本発明によると、灰皿装置と搬送処理装置との間に介在される拭取装置を備え、拭取装置が、各開口部にそれぞれ対向した状態で該開口部から落下する吸殻及び灰を搬送処理装置側に通過させる複数の通過穴と、該通過穴が次なる開口部に向けて移動する際に回動部の下面を拭き取る拭取部とを有する無端状の清掃ベルトを備えるので、灰皿装置の回動部の回動で開口部周囲を清掃したことで回動部に付着している微細な灰等を、煙草載置面と逆向きに下方に位置する面を、清掃ベルトを移動させることで簡便に清掃することができる。
【００２６】
請求項５に係る本発明によると、清掃ベルトが不燃性材料からなるので、搬送処理装置との間にあって吸殻等の火の影響を受けやすい清掃ベルトを、燃焼から確実に防止することができる。
【００２７】
請求項６に係る本発明によると、清掃ベルトが、所定の間隔をあけて配置された一対のローラ間に張設されてなり、拭取装置が、清掃ベルトに摺接して該清掃ベルトに付着した吸殻及び灰を擦り落とす清掃ベルト摺接ローラを備えるので、簡単な構成からなるものでありながら、一対のローラ間に巻き回された清掃ベルトに清掃ベルト摺接ローラを摺接することで、清掃ベルトに付着した吸殻及び灰を容易に除去することができる。
【００２８】
請求項７に係る本発明によると、清掃ベルト摺接ローラが清掃ベルトの移動に逆らう方向に回転するので、清掃ベルトに付着した吸殻及び灰を、極めて容易に除去することができるようになる。
【発明を実施するための最良の形態】
【００２９】
以下、本発明に係る灰皿清掃装置の実施の形態として、遊技場等に設置される遊技機であるパチンコ機に対応して設けられる灰皿清掃装置を例に挙げ、図に沿って説明する。なお、本発明に係る灰皿清掃装置は、回胴リール装置を有する遊技機であるスロットマシンにも同様に適用できることは勿論である。
【００３０】
なお、図１は本発明に係る灰皿清掃装置４を有する遊技島設備１の全体を示す正面図、図２は灰皿清掃装置４を一部抜粋して示す概略斜視図、図３は灰皿装置２６を拡大して示す斜視図、図４は灰皿装置２６及びその駆動機構を拡大して示す平面図、図５は本灰皿清掃装置４の制御系を示すブロック図である。
【００３１】
図１に示すように、遊技島設備１には、図の左右方向に延在するランプ板８や幕板９に沿って順次配列された複数（同図では便宜上５台のみ表示）のパチンコ機（遊技機）２と、灰皿清掃装置４と、を有している。パチンコ機２の相互間には、所謂サンドと呼ばれる貸玉装置８２が配置されている。灰皿清掃装置４は、各パチンコ機２に対応して配置された複数（同図では便宜上５個のみ表示）の灰皿装置２６と、該灰皿装置２６から落下した吸殻及び灰ｃを搬送して消火処理する搬送処理装置１４と、を有している。
【００３２】
複数のパチンコ機２は、上部側に、液晶パネル等からなる図柄表示装置５を中央部分に露出する遊技領域３を有し、該遊技領域３の下方に皿ユニット６を有し、該皿ユニット６の右側下部に発射ハンドル７を有している。幕板９の前側（図１の紙面手前側）の賞球箱載置面８１上には、いわゆるドル箱と呼ばれる賞球箱１０が置かれている。また、パチンコ機２それぞれの幕板９左下部に、上記灰皿装置２６が配置されている。
【００３３】
灰皿装置２６は、図２及び図３に示すように、停止状態にて煙草Ｃを煙草載置面Ｆ上に保持すると共に作動状態にて該煙草Ｃの吸殻及び灰ｃを煙草載置面Ｆから落下させ排出するように構成されている。
【００３４】
すなわち、各パチンコ機２の幕板９の前側には、左右方向に延在する賞球箱載置面８１が配置されており、この賞球箱載置面８１には、各パチンコ機２の左前部にそれぞれ位置するように、吸殻及び灰ｃを搬送処理装置１４に落下させる開口部３１が形成されている。つまり、各開口部３１は、賞球箱載置面８１における遊技島設備１の左右方向にて、所
定の間隔をあけて順次形成されている。この所定の間隔は、例えば、各パチンコ機２の横幅約５２［ｃｍ］と貸玉装置８２の横幅約１０［ｃｍ］とを加算した約６２［ｃｍ］として設定することができる。灰皿装置２６は、これら開口部３１と、各開口部３１に対応してその開口部３１を囲繞するように配置されると共に煙草載置面Ｆに付着した吸殻及び灰ｃを開口部３１に落下させるように回動する回動部３０ａ，３０ｂ，３０ｃ，３０ｄと、を有している。
【００３５】
各灰皿装置２６では、図２及び図３に示すように、賞球箱載置面８１の延在方向に所定の間隔をあけて形成された切欠き２８内に配置された回動部３０ａ〜３０ｄによって開口部３１が区画されている。図２では、清掃ベルト１９の各通過穴２９が各開口部３１にそれぞれ対向して位置し、かつそれら開口部３１間の下面Ｂに対向して拭取部１９ａが位置している。なお、符号３１ａは、開口部３１内を小さく区画する煙草落下穴を示している。
【００３６】
回動部３０ａ〜３０ｄは、開口部３１を多角形状（本実施の形態では正四角形状）に区画するように配置された４個の多角柱体（本実施の形態では正六角柱）からなる。これら多角柱体である回動部３０ａ〜３０ｄは、灰皿装置２６の停止状態にて平面状の一側面を上方に向けて上記煙草載置面Ｆとするように構成されている。上記「多角柱体」は、本実施の形態では、両端の底部が閉塞した多角柱状のものとして述べるが、これに限らず、回動部３０ａ〜３０ｄを、両端の底部が開放した多角筒状のもので構成することもできる。なお、上面に位置した煙草載置面Ｆを開口部３１側に若干傾けるように構成すれば、回動部３０ａ〜３０ｄを回動させた際に吸殻及び灰ｃが開口部３１に落下しやすい構造とすることができる。
【００３７】
ここで、灰皿装置２６の駆動機構を図４に沿って説明する。図４に示すように、賞球箱載置面８１（図２）の内側における回動部３０ａに対向する位置には、回動部駆動モータ３２が固定配置されている。この駆動モータ３２の回転軸３２ａに固定されたピニオン３３の左右には、回動部３０ａ，３０ｂ側に回転を伝達する第１ギヤ列と、回動部３０ｃ，３０ｄ側に回転を伝達する第２ギヤ列とが配置されている。第１ギヤ列は、第２ギヤ列の回動部３０ｄに対して回動部３０ｂの回転方向を逆にするために、後述のようにギヤ（伝達ギヤ３９）が１個多く介在されている。
【００３８】
第１ギヤ列は、ピニオン３３に噛合する伝達ギヤ３７と、伝達ギヤ３７に噛合する伝達ギヤ３８と、伝達ギヤ３７に噛合する伝達ギヤ３９と、伝達ギヤ３９に噛合する伝達ギヤ４０と、を有している。回動部３０ｂは、中心を貫通する回転軸４３に相対回転不能に固定されている。この回転軸４３は、一端部がＬ字型軸受４８によって回転自在に支持されており、他端部にはウォームギヤ４５が固定されている。該ウォームギヤ４５は、ピニオン４４にその上方から噛合しており、このピニオン４４は、回動部３０ａの中心を貫通して該回動部３０ａに固定された回転軸４６に相対回転不能に固定されている。
【００３９】
第２ギヤ列は、ピニオン３３に噛合する伝達ギヤ３４と、伝達ギヤ３４に噛合する伝達ギヤ３５と、伝達ギヤ３５に噛合する伝達ギヤ３６と、を有している。回動部３０ｄは、中心を貫通する回転軸４７に相対回転不能に固定されている。この回転軸４７は、一端部がＬ字型軸受４１によって回転自在に支持されており、他端部が軸受４９によって回転自在に支持されると共に、固定されたウォームギヤ５２が、ピニオン５３にその上方から噛合している。このピニオン５３は、回動部３０ｃの中心を貫通して該回動部３０ｃに固定された回転軸５１に相対回転不能に固定されている。この回転軸５１の両端部は、軸受５０とＬ字型軸受４８とにそれぞれ回転自在に支持されている。
【００４０】
灰皿装置２６では、回動部駆動モータ３２が回転駆動すると、その回転が、ピニオン３３から伝達ギヤ３４、３５、３６を介して回動部３０ｄに伝達されると共に、ピニオン３３から伝達ギヤ３７、３８、３９、４０を介して回動部３０ｂに逆方向の回転として伝達される。これと同時に、第１ギヤ列では、ウォームギヤ４５の回転がピニオン４４を介して回動部３０ａに伝達され、第２ギヤ列では、ウォームギヤ５２の回転がピニオン５３を介して回動部３０ｃに伝達される。
【００４１】
ここで、ウォームギヤ４５とピニオン４４のギヤ比及びウォームギヤ５２とピニオン５３のギヤ比、並びにウォームギヤ４５，５２の各螺旋の方向は、回動部３０ｂ，３０ｄがそれぞれ開口部３１側に所定角度（本実施の形態では６０゜）だけ回動するのに同期して、回動部３０ｃ，３０ａを同じ角度だけ開口部３１側に回動し得るように設定される。なお、図２及び図３では図示を省略したが、回動部３０ａ，３０ｂ，３０ｃ，３０ｄには、図４に示すように、軸芯と直交する方向に対して３０゜程度傾斜する煙草載置用の溝Ｇが形成されている。これにより、煙草載置面Ｆ上に置いている煙草Ｃの安定性を確保できる。
【００４２】
また、灰皿清掃装置４は、図１及び図２に示すように、各灰皿装置２６の回動部３０ａ〜３０ｄを駆動制御する灰皿装置制御手段６４（図５参照）と、各灰皿装置２６に対応して配置された複数（同図では便宜上５個のみ表示）の回動操作スイッチ２７と、を有している。この場合、灰皿装置制御手段６４は、操作された回動操作スイッチ２７に対応する灰皿装置２６の回動部３０ａ〜３０ｄを所定角度（本実施の形態では、６０゜）回動させるように制御する。
【００４３】
更に、灰皿清掃装置４は、灰皿装置２６と搬送処理装置１４との間に介在される拭取装置１６を有している。この拭取装置１６は、開口部３１に対向した状態で該開口部３１から落下する吸殻及び灰ｃを搬送処理装置１４側に通過させる通過穴２９と、該通過穴２９が次なる開口部３１に向けて移動する際に回動部３０ａ〜３０ｄの下面Ｂを拭き取る拭取部１９ａと、を有する無端状の清掃ベルト１９を有している。各通過穴２９は、開口部３１相互の間隔に合致して開口部３１それぞれに対向し得るように形成されている。また、清掃ベルト１９は、不燃性の布材料によって形成されている。
【００４４】
清掃ベルト１９は、所定の間隔（本実施の形態では、約３．５〜４．５［ｍ］）をあけて配置された一対のローラ２０，１７間に張設されている。ローラ２０は、軸２０ａによって吸殻処理部１５の内面に回転自在に支持されており、ローラ１７は、軸１７ａによって吸殻処理部１３の内面に回転自在に支持されている。ローラ２０は、拭取装置制御手段６３（図５参照）によって制御される清掃ベルト駆動モータ６８（図５参照）の回転が周知の回転伝達機構（図示せず）を介して伝達されて回転駆動する主動ローラであり、ローラ１７は、ローラ２０の回転で矢印Ｄ方向に移動する清掃ベルト１９につれ周りする従動ローラである。
【００４５】
清掃ベルト１９は、清掃駆動スイッチ７０の操作時に回転するローラ２０に巻き取られることで一方向（矢印Ｄ方向）に移動し、該移動時に、各灰皿装置２６において下方に向いた回動部３０ａ〜３０ｄの各下面Ｂ（図３参照）に摺接し、落下できずに付着したままの細かい吸殻や灰を擦り落として清掃する。そして、清掃ベルト１９は、ローラ１７側に巻かれた分が順次ローラ２０側に送出されて拭取部１９ａが汚れた状態となり、該ローラ２０側に一定量以上が巻き取られた状態になると、清掃作業員の判断で新しいものと交換されてローラ２０，１７間に再度張設される。
【００４６】
拭取装置１６は、この清掃ベルト１９に摺接して該清掃ベルト１９に付着した吸殻及び灰ｃを擦り落とす吸殻除去ローラ（清掃ベルト摺接ローラ）２１を有している。この吸殻除去ローラ２１は、軸２１ａによって吸殻処理部１５の内面に支持されて、図１の矢印Ｄ方向への清掃ベルト１９の移動に逆らう方向（図１の時計回り方向）に回転するように構成されている。
【００４７】
搬送処理装置１４は、所定の間隔（本実施の形態では、３．０〜４．０［ｍ］）をあけて配置された一対のローラ２２，２３と、これらローラ２２，２３に巻き回された不燃性材料からなる無端状の搬送ベルト２４と、を有している。ローラ２２は、軸２２ａによって搬送処理装置１４の本体に回転自在に支持されており、ローラ２３は、軸２３ａによって搬送処理装置１４の本体に回転自在に支持されている。搬送ベルト２４は、ローラ２２，２３間にて所定間隔をあけて配置された４個のローラ２５で担持されて略々水平を維持した状態で回動移動する。
【００４８】
上記ローラ２２は、後述する搬送装置制御手段６２（図５参照）によって制御される搬送ベルト駆動モータ６５（図５参照）の回転が周知の回転伝達機構（図示せず）を介して伝達されて回転駆動する主動ローラであり、ローラ２３は、ローラ２２の回転で矢印Ｅ方向に移動する搬送ベルト２４につれ周りする従動ローラである。
【００４９】
搬送処理装置１４の両端部には、搬送ベルト２４によって搬送された吸殻及び灰ｃを水ｗに浸漬させる吸殻処理部１３，１５がそれぞれ配設されている。これら吸殻処理部１３，１５内の水ｗは、それぞれ、吸殻除去ローラ（搬送ベルト摺接ローラ）８３，８４に接触しない水位に保たれるように、遊技店の係員によって調節される。
【００５０】
吸殻処理部１３，１５は、搬送ベルト２４に摺接して該搬送ベルト２４に付着した吸殻及び灰ｃを擦り落とす上記吸殻除去ローラ８３，８４を有している。このローラ８３は、軸８３ａによって吸殻処理部１３の内面に回転自在に支持されており、ローラ８４は、軸８４ａによって吸殻処理部１５の内面に回転自在に支持されている。これら吸殻除去ローラ８３，８４は、図１の矢印Ｅ方向への搬送ベルト２４の移動に逆らう方向（図１の時計回り方向）に回転するように構成されている。吸殻処理部１５の一側面には、搬送駆動スイッチ６７、清掃駆動スイッチ７０及び一斉駆動操作スイッチ７３が互いに若干の距離をおいて、それぞれ押圧操作し得るように配設されている。これらスイッチ６７，７０，７３は、不図示のカバーで覆われて、いたずら等をされないように保護されている。
【００５１】
ついで、遊技島設備１に係る制御系を、図５の制御ブロック図を参照して詳細に説明する。すなわち、遊技島設備１に設置される制御系は、マイクロコンピュータ等からなる制御部６０と、該制御部６０に電気的に接続された灰皿清掃装置４と、を備えている。
【００５２】
制御部６０は、搬送装置制御手段６２、拭取装置制御手段６３、及び灰皿装置制御手段６４を有している。
【００５３】
灰皿清掃装置４は、搬送処理装置１４、拭取装置１６、灰皿装置２６、及び一斉駆動操作スイッチ７３を有している。搬送処理装置１４は、搬送ベルト駆動モータ６５、吸殻除去ローラ８３，８４、及び搬送駆動スイッチ６７を有している。拭取装置１６は、清掃ベルト駆動モータ６８、回動位置検出手段６９、吸殻除去ローラ２１、及び清掃駆動スイッチ７０を有している。灰皿装置２６は、回動部駆動モータ３２、回動位置検出手段７２、及び回動操作スイッチ２７を有している。
【００５４】
搬送装置制御手段６２は、搬送駆動スイッチ６７の操作に応答して、搬送ベルト駆動モータ６５に駆動信号を出力して該モータ６５の駆動でローラ２２を回転させ、搬送ベルト２４を図１の矢印Ｅ方向に回動移動させると共に、吸殻除去ローラ８３，８４を図１の時計回り方向に回転させる。これらローラ２２及び吸殻除去ローラ８３，８４の回転は、搬送駆動スイッチ６７が再び操作されるか、主電源がオフされるまで一定の速度で継続される。
【００５５】
拭取装置制御手段６３は、清掃駆動スイッチ７０の操作に応答して、清掃ベルト駆動モータ６８に駆動信号を出力して該モータ６８の駆動でローラ２０を回転させ、清掃ベルト１９を図１の矢印Ｄ方向に回動移動させると共に、吸殻除去ローラ２１を図１の時計回り方向に回転させる。これらローラ２０及び吸殻除去ローラ２１の回転は、清掃駆動スイッチ７０が操作された後、センサを有する回動位置検出手段６９により、或る開口部３１に対向していた通過穴２９が次なる開口部３１に対向する位置に到達したことが検出された時点で停止される。なお、清掃駆動スイッチ７０の操作に拘わらず、拭取装置制御手段６３の制御で清掃ベルト駆動モータ６８を定期的に駆動するように構成することも可能である。
【００５６】
灰皿装置制御手段６４は、対応する回動操作スイッチ２７の操作に応答して、回動部駆動モータ３２に駆動信号を出力して該モータ３２の駆動で回動部３０ａ〜３０ｄを一斉に回転させ、センサを含む回動位置検出手段７２が各回動部３０ａ〜３０ｄが所定角度（例えば、６０゜）だけ回動したことを検出した時点で、上記駆動モータ３２を停止させる。また、灰皿装置制御手段６４は、各灰皿装置２６の回動部３０ａ〜３０ｄを駆動制御する際、一斉駆動操作スイッチ７３が操作（即ち、所定の契機）されると、回動操作スイッチ２７の個々の操作に拘わらず、複数の灰皿装置２６の回動部３０ａ〜３０ｄを一斉に所定角度（本実施の形態では、６０゜）回動させるように制御する。
【００５７】
次に、遊技島設備１に灰皿清掃装置４が設けられたことによる一連の作用について説明する。
【００５８】
すなわち、本パチンコ機２に対面して着座した遊技者が発射ハンドル７を握り、適宜の角度に回動操作すると、遊技球が所定の時間間隔で遊技領域３に向けて連続的に発射され、弾球遊技が開始される。この弾球遊技の間、遊技店の開店時に搬送駆動スイッチ６７が操作されたことにより、搬送装置制御手段６２の制御により搬送ベルト２４が図１の矢印Ｅ方向に連続的に回動移動され、また吸殻除去ローラ８３，８４が時計回り方向に回転している。
【００５９】
この状態において、遊技島設備１に配列された各パチンコ機２と対座している遊技者が、煙草Ｃ（図３参照）を吸い終わるなどして開口部３１の煙草落下穴３１ａから落とすと、該煙草Ｃは、吸殻及び灰ｃとして通過穴２９を通過して搬送ベルト２４上に乗る。そして、回動移動する搬送ベルト２４とともに吸殻処理部１５内に移動し、ローラ２２の位置から吸殻処理部１５内の水ｗに落とされて浸漬され、確実に消火処理される。この際、ローラ２２の逆方向に回転して摺接している吸殻除去ローラ８４により、搬送ベルト２４上に付着した吸殻及び灰ｃが、より効率良く除去されて水ｗに落下させられる。また、ローラ２２側から下側を移動して吸殻処理部１３側に到達した搬送ベルト２４は、吸殻処理部１３内の吸殻除去ローラ８３がローラ２３と逆方向に回転して摺接していることで、吸殻処理部１５側で落ちきれなかった吸殻及び灰ｃが更にきれいに除去されて、水ｗに浸漬される。
【００６０】
一方、パチンコ機２と対座している遊技者が、灰皿装置２６の周囲の汚れを清掃するため、清掃駆動スイッチ７０を操作すると、拭取装置制御手段６３の制御で清掃ベルト駆動モータ６８が回転駆動し、回動部３０ａ〜３０ｄが同時に所定角度だけ回動する。これにより、それまでの煙草載置面Ｆが開口部３１側に回動移動して、次なる面が煙草載置面Ｆとして位置する。この際に、先の煙草載置面Ｆ上に付着していた吸殻及び灰ｃは、回動部３０ａ〜３０ｄの回動移動に伴って開口部３１内に落下させられ、煙草落下穴３１ａを通り、更に通過穴２９を通過して搬送ベルト２４上に乗り、上記と同様にして消火処理される。
【００６１】
そして、例えば清掃作業員が清掃駆動スイッチ７０を適時操作すると、拭取装置制御手段６３が、清掃ベルト駆動モータ６８を駆動してローラ２０を回転させて清掃ベルト１９を回動移動させ、吸殻除去ローラ２１を時計回り方向に回転させて、或る開口部３１に対向していた通過穴２９が次なる開口部３１に対向する位置に到達した時点で停止させる。これにより、回動部３０ａ〜３０ｄの下面Ｂが拭取部１９ａによって拭き取られ、清掃される。このように清掃された下面Ｂが、回動部３０ａ〜３０ｄの回転に伴って次第に上方に移動し、きれいな煙草載置面Ｆとして再び上面に位置することになる。
【００６２】
また、遊技店の閉店後、清掃作業員が一斉駆動操作スイッチ７３を操作すると、灰皿装置制御手段６４が、回動操作スイッチ２７の個々の操作に拘わらず、複数の灰皿装置２６の回動部駆動モータ３２を一斉に駆動し、各回動部３０ａ〜３０ｄを一斉に所定角度（本実施の形態では、６０゜）回動させる。これにより、複数の灰皿装置２６のそれぞれにおいて、周囲がきれいになり、清掃済みの煙草載置面Ｆが上面に位置した状態になる。
【００６３】
なお、本実施の形態では、図４に示すように、回動部３０ｂと３０ｄ、回動部３０ａと３０ｃをそれぞれ線対称の関係となるように配置したが、これに限らず、図６に示すように、回動部３０ｂと３０ｄ、回動部３０ａと３０ｃをそれぞれ点対称の関係となるように配置することもできる。このような変形例にあっても、略々同様の作用効果を得ることができる。
【００６４】
以上説明したように本実施の形態では、複数の灰皿装置２６が、吸殻及び灰ｃを搬送処理装置１４に落下させる開口部３１と、煙草載置面Ｆに付着した吸殻及び灰ｃを開口部３１に落下させるように回動する回動部３０ａ〜３０ｄとを有している。これにより、灰皿装置２６の開口部３１周囲が吸殻及び灰ｃで汚れている場合、必要に応じて回動部３０ａ〜３０ｄを回動させることにより、開口部３１周囲に飛散した灰や開口部３１近傍に残存した吸殻等を開口部３１に落下させて消火処理することで、簡便に清掃することができる。
【００６５】
このため、遊技者自身がティッシュペーパ等で拭いて掃除し、或いは、遊技店内の混雑時等に清掃作業員が遊技者間に割り込みながら清掃作業するような人手を介する煩雑な作業を可及的に不要にでき、灰皿周囲が汚れていることに起因してそのまま別のパチンコ機２に移動するような不都合を解消することができる。
【００６６】
また、各灰皿装置２６に対応して配置された複数の回動操作スイッチ２７を備え、灰皿装置制御手段６４が、操作された回動操作スイッチ２７に対応する灰皿装置２６の回動部３０ａ〜３０ｄを所定角度回動させることにより、遊技者が開口部３１周囲を清掃したいと思ったとき、対座したパチンコ機２に対応する回動操作スイッチ２７を操作するだけで回動部３０ａ〜３０ｄを所定角度回動させ、灰皿装置２６を極めて簡便に清掃することができる。
【００６７】
更に、本実施の形態では、灰皿装置制御手段６４と一斉駆動操作スイッチ７３とを有し、灰皿装置制御手段６４が、一斉駆動操作スイッチ７３の操作に応答して複数の灰皿装置２６の回動部３０ａ〜３０ｄを一斉に所定角度回動させる。これにより、遊技店の閉店後等に清掃作業員が開口部３１周囲を清掃する場合、一斉駆動操作スイッチを操作するだけで、各パチンコ機２に対応する灰皿装置２６の回動部３０ａ〜３０ｄを一斉に所定角度回動させ、多数の灰皿装置２６を、遊技島設備単位で一括して極めて簡便に清掃することができる。これにより、清掃作業員にとって煩雑な作業である灰皿周りの清掃が極めて容易になり、その分別の作業に集中することが可能になる。
【００６８】
そして、回動部３０ａ〜３０ｄが、開口部３１を多角形状に区画するように配置された複数の多角柱体であり、複数の多角柱体が、灰皿装置２６の停止状態にて平面状の一側面を上方に向けて煙草載置面Ｆとするので、複数の多角柱体を開口部３１周囲に配置し、それら多角柱体を所定角度回動させるだけで、吸殻及び灰ｃを開口部３１内に落下させて排出する機能と、回動時に最終的に上方に向く面を煙草載置面Ｆとする機能とを併せ持った構造が容易に実現する。
【００６９】
また、本実施の形態では、灰皿装置２６と搬送処理装置６４との間に介在される拭取装置１６が、各開口部３１にそれぞれ対向した状態で該開口部３１から落下する吸殻及び灰ｃを搬送処理装置６４側に通過させる複数の通過穴２９と、該通過穴２９が次なる開口部３１に向けて移動する際に回動部３０ａ〜３０ｄの下面を拭き取る拭取部１９ａとを有する無端状の清掃ベルト１９を有している。これにより、灰皿装置２６の回動部３０ａ〜３０ｄの回動で開口部３１周囲を清掃したことで回動部３０ａ〜３０ｄに付着している微細な灰等を、煙草載置面Ｆと逆向きに下方に位置する面を、清掃ベルト１９を移動させることで簡便に清掃することができる。更に、清掃ベルト１９が不燃性材料からなるので、搬送処理装置１４との間にあって吸殻等の火の影響を受けやすい清掃ベルト１９を、燃焼か
ら確実に防止することができる。
【００７０】
そして、清掃ベルト１９が、所定の間隔をあけて配置された一対のローラ２２，２３間に張設され、拭取装置１６が、清掃ベルト１９に摺接して該ベルト１９に付着した吸殻及び灰ｃを擦り落とす吸殻除去ローラ２１を有している。これにより、簡単な構成からなるものでありながら、一対のローラ２０，１７間に張設された清掃ベルト１９に吸殻除去ローラ２１を摺接することで、清掃ベルト１９に付着した吸殻及び灰ｃを容易に除去することができる。また、吸殻除去ローラ２１が清掃ベルト１９の移動に逆らう方向に回転するので、清掃ベルト１９に付着した吸殻及び灰ｃを、極めて容易に除去できる。
【００７１】
以上、本発明をその好適な実施の形態に基づいて説明したが、本発明の灰皿清掃装置は、上記実施形態の構成にのみ限定されるものではなく、上記実施形態の構成から種々の修正及び変更を施した灰皿清掃装置も、本発明の範囲に含まれる。
【図面の簡単な説明】
【００７２】
【図１】本発明に係る灰皿清掃装置を有する遊技島設備の全体を示す正面図である。
【図２】灰皿清掃装置を一部抜粋して示す概略斜視図である。
【図３】灰皿装置を拡大して示す斜視図である。
【図４】灰皿装置及びその駆動機構を拡大して示す平面図である。
【図５】本灰皿清掃装置の制御系を示すブロック図である。
【図６】灰皿装置の変形例を示す平面図である。
【符号の説明】
【００７３】
１    遊技島設備
２    遊技機（パチンコ機）
４    灰皿清掃装置
１４    搬送処理装置
１６    拭取装置
１７，２０    ローラ
１９    無端状の清掃ベルト
１９ａ    拭取部
２１    清掃ベルト摺接ローラ（吸殻除去ローラ）
２６  灰皿装置
２７    回動操作スイッチ
２９    通過穴
３０ａ，３０ｂ，３０ｃ，３０ｄ    回動部
３１    開口部
６４    灰皿装置制御手段
７３    一斉駆動操作スイッチ
Ｃ    煙草
ｃ  吸殻及び灰
Ｂ    回動部の下面
Ｆ  煙草載置面
【図１】
0004823664.tif 000002
【図２】
0004823664.tif 000003
【図３】
0004823664.tif 000004
【図４】
0004823664.tif 000005
【図５】
0004823664.tif 000006
【図６】
0004823664.tif 000007